(57)【要約】  本発明の実施形態は、通信ネットワーク（１００）においてトランスポートブロックをユーザ機器（１０５）に送信する基地局（１０１）における方法に関する。トランスポートブロックは複数のビットを含む。基地局（１０１）は、トランスポートフォーマットを選択する（２０３ａ、２０３ｂ、４０１）。基地局（１０１）は、トランスポートブロックに対する復号化性能に基づいて第１の冗長バージョンパラメータを動的に選択する（２０４ａ、２０３ｂ、４０２）。基地局（１０１）は、動的に選択された第１の冗長バージョンパラメータ及び初回の送信において選択されたトランスポートフォーマットに従って配分された、複数のビットを含むトランスポートブロックをユーザ機器（１０５）に送信する（２０５ａ、２０４ｂ、４０４）。【選択図】  図２
2015513816.tif 000002
【特許請求の範囲】
【請求項１】
通信ネットワークにおいて、基地局からユーザ機器へ、複数ビットを含むトランスポートブロックを送信する方法であって、
前記ユーザ機器から受信品質に関する情報を受信するステップと、
前記受信品質に基づいてトランスポートフォーマットを選択するステップと、
初回の送信のために、前記受信品質に関してかつトランスポートブロックに対する復号化性能に基づいて、動的に第１の冗長バージョンパラメータを選択するステップと、
初回の送信において、前記動的に選択された第１の冗長バージョンパラメータ及び前記選択されたトランスポートフォーマットに従って配分された前記複数ビットを含む前記トランスポートブロックを、前記ユーザ機器へ送信するステップと、を含む方法。
【請求項２】
前記方法は更に、
前記第１の冗長バージョンパラメータに基づいて第２の冗長バージョンパラメータを選択するステップと、
前記動的に選択された第２の冗長バージョンパラメータ及び前記選択されたトランスポートフォーマットに従って配分された前記複数ビットを含む前記トランスポートブロックを前記ユーザ機器へ再送信するステップと、を含む請求項１に記載の方法。
【請求項３】
前記トランスポートフォーマット及び前記第１の冗長バージョンパラメータは、複数のトランスポートフォーマットの各トランスポートフォーマットと第１の冗長バージョンパラメータとの組み合わせ及び第１の冗長バージョンパラメータの組み合わせに対するユーザ機器における必要とされる信号受信品質に関する情報を含む表から一緒に選択されることを特徴とする、請求項１また２に記載の方法。
【請求項４】
前記トランスポートフォーマットは、複数のトランスポートフォーマットの各トランスポートフォーマットに対する前記ユーザ機器において必要とされる信号受信品質に関する情報を含む表から選択されることを特徴とする、請求項１乃至３のいずれか１項に記載の方法。
【請求項５】
前記トランスポートフォーマットは、複数のトランスポートフォーマットの各トランスポートフォーマット及び複数の第１の冗長バージョンパラメータの各第１の冗長バージョンパラメータに対して前記ユーザ機器において必要とされる信号受信品質に関する情報を含む表から選択されることを特徴とする、請求項１乃至３のいずれか１項に記載の方法。
【請求項６】
前記方法は更に、
前記動的に選択された第１の冗長バージョンパラメータに基づいて、前記ユーザ機器において必要とされる信号受信品質に関する情報を含む前記表における必要とされる信号受信品質に関する前記情報を更新することを特徴とする、請求項４または５に記載の方法。
【請求項７】
前記第１の冗長バージョンパラメータは、複数のトランスポートフォーマットの各トランスポートフォーマットに対する最適な第１の冗長バージョンパラメータに関する情報を含む表から動的に選択されることを特徴とする、請求項４乃至６のいずれか１項に記載の方法。
【請求項８】
復号化性能は、ブロックエラーレート、ＢＬＥＲ、少なくとも1つのコードブロックにおける複数ビットの信頼度分布、及び少なくとも1つのコードブロックにおけるシステマティックビットとパリティビットの分布、のうちの少なくとも1つに関連することを特徴とする請求項１乃至７のいずれか１項に記載の方法。
【請求項９】
通信ネットワークにおいてユーザ機器へ、複数ビットを含むトランスポートブロックを送信する基地局であって、前記基地局は前記ユーザ機器から受信品質に関する情報を受信するように構成され、前記基地局は、
前記受信品質に基づいてトランスポートフォーマットを選択し、初回の送信のために、前記受信品質に関してかつ前記トランポートフォーマットに対する復号化性能に基づいて、第１の冗長バージョンパラメータを動的に選択する選択器と、
初回の送信において、前記動的に選択された第１の冗長バージョンパラメータ及び前記選択されたトランスポートフォーマットに従って配分された複数ビットを含む前記トランスポートブロックをユーザへ送信する送信機と、を含む基地局。
【請求項１０】
前記選択器はさらに、前記第１の冗長バージョンパラメータに基づいて第２の冗長バージョンパラメータを選択するように構成され、
前記送信器は、前記動的に選択された第２の冗長バージョンパラメータ及び前記選択されたトランスポートフォーマットに従って配分された前記複数ビットを含む前記トランスポートブロックを前記ユーザ機器へ再送信することを特徴とする、請求項９に記載の基地局。
【請求項１１】
前記トランスポートフォーマット及び前記第１の冗長バージョンパラメータは、複数のトランスポートフォーマットの各トランスポートフォーマットと第１の冗長バージョンパラメータとの組合せ及び第1の冗長バージョンパラメータの組合せに対するユーザ機器において必要とされる受信信号品質に関する情報を含む表から一緒に選択されることを特徴とする、請求項９又は１０に記載の基地局。
【請求項１２】
前記トランスポートフォーマットは、複数のトランスポートフォーマットの各トランスポートフォーマットに対するユーザ機器において必要とされる信号受信品質に関する情報を含む表から選択されることを特徴とする請求項９乃至１１のいずれか１項に記載の基地局。
【請求項１３】
前記トランスポートフォーマットは、複数のトランスポートフォーマットの各トランスポートフォーマット及び複数の第１の冗長バージョンパラメータの各第１のバージョンパラメータに対して前記ユーザ機器において必要とされる受信信号品質に関する情報を含む表から選択されることを特徴とする請求項９乃至１２のいずれか１項に記載の基地局。
【請求項１４】
前記基地局は、前記動的に選択された第１の冗長バージョンパラメータに基づいて、前記ユーザ機器において必要とされる信号受信品質に関する情報を含む前記表における必要とされる信号受信品質に関する前記情報を更新する更新ユニットをさらに含むことを特徴とする請求項１２又は１３に記載の基地局。
【請求項１５】
前記第１の冗長バージョンパラメータは、複数のトランスポートフォーマットの各トランスポートフォーマットに対する最適な第１の冗長バージョンパラメータに関する情報を含む表から動的に選択されることを特徴とする請求項１２乃至１４のいずれか１項に記載の基地局。
【請求項１６】
復号化性能は、ブロックエラーレート、ＢＬＥＲ、少なくとも1つのコードブロックにおける複数ビットの信頼度分布、少なくとも1つのコードブロックにおけるシステマティックビットとパリティビットの分布、のうちの少なくとも1つに関連することを特徴とする請求項９乃至１５のいずれか1項に記載の基地局。
【発明の詳細な説明】
【技術分野】
【０００１】
本発明の実施形態は、一般に、基地局及び基地局における方法に関する。特に、本発明の実施形態は、通信ネットワークにおいてトランスポートブロックを基地局からユーザ機器に送信することに関する。
【背景技術】
【０００２】
通信システム又は通信ネットワークとも呼ばれる一般的なセルラネットワークにおいて、１つ以上のユーザ機器（ＵＥ）は、無線アクセスネットワーク（ＲＡＮ）を介してコアネットワーク（ＣＮ）と通信する。
【０００３】
ユーザ機器は移動端末であり、加入者は、移動端末により、オペレータのコアネットワークにより与えられたサービス及びオペレータの無線アクセスネットワーク及びコアネットワークがアクセスを提供するオペレータのネットワークの外側のサービスにアクセスしてもよい。例えばユーザ機器は、無線機能を有する移動電話、携帯電話、スマートフォン、タブレットコンピュータ又はラップトップ等の通信デバイスであってもよい。ユーザ機器は、無線アクセスネットワークを介して別のユーザ機器又はサーバ等の別のエンティティと音声及び／又はデータを通信できる、ポータブルデバイス、ポケット収納可能デバイス、ハンドヘルドデバイス、コンピュータを備えたデバイス又は車両搭載移動デバイスであってもよい。
【０００４】
ユーザ機器は、通信ネットワークにおいて無線で通信でき且つ無線で通信するように構成される。通信は、通信ネットワーク内に含まれた無線アクセスネットワーク及び場合によっては１つ以上のコアネットワークを介して、例えば２つのユーザ機器間、ユーザ機器と通常の電話機との間、並びに／あるいはユーザ機器とサーバとの間で実行されてもよい。
【０００５】
通信ネットワークは、セル領域に分割される地域を範囲に含むため、セルラネットワークと呼ばれてもよい。使用される技術及び用語に応じて高度化（ｅｖｏｌｖｅｄ）ノードＢ（ｅＮＢ）、ｅＮｏｄｅＢ、ＮｏｄｅＢ、Ｂ  ｎｏｄｅ等と呼ばれる無線基地局（ＲＢＳ）又は基地局トランシーバ（ＢＴＳ）等の基地局（ＢＳ）は、各セル領域を受け持つ。基地局は、基地局の範囲内でユーザ機器と共に無線周波数で動作するエアインタフェースを介して通信する。
【０００６】
変調は、通信ネットワークにおいて使用され、情報が無線キャリアに重ね合わされる方法に関連する。無線キャリアは、１つのデバイスから別のデバイスに情報を搬送できるように変調される必要がある。
【０００７】
変調の１つのタイプは直交振幅変調（ＱＡＭ）である。ＱＡＭは、振幅シフトキーイング（ＡＳＫ）デジタル変調方式又は振幅変調（ＡＭ）アナログ変調方式を使用して２つの無線搬送波の振幅を変更、すなわち変調することにより、２つのアナログメッセージ信号又は２つのデジタルビットストリームを搬送する。２つの無線搬送波は、９０°だけ同位相でシフトされ且つ変調されるため、直交キャリア又は直交成分と呼ばれる。変調された結果として得られる出力は、振幅変動及び位相変動の双方を含む。
【０００８】
１６ＱＡＭ、３２ＱＡＭ、６４ＱＡＭ、１２８ＱＡＭ及び２５６ＱＡＭ等の種々の形式のＱＡＭがある。１６、３２、６４等の数は、信号点配置図における点の数を示す。信号点配置図は、ＱＡＭ等のデジタル変調方式により変調された信号の表現である。信号点配置図は、信号を２次元散布図としてシンボルサンプリング時に複素平面に表示する。また、信号点配置図は、複素平面における点として所定の変調方式により選択されてもよい可能なシンボルの表現としてみなされてもよい。
【０００９】
通信ネットワークにおいて、ユーザ機器及び基地局は、いくつかのチャネルを利用して通信する。チャネルは、異なる種類のデータを区別するために使用される。データチャネルは、３つのカテゴリ、すなわち物理チャネル、トランスポートチャネル及び論理チャネルにグループ化されてもよい。データチャネルの各カテゴリは、アップリンク又はダウンリンクであってもよい。アップリンクはユーザ機器から基地局に向かう方向であり、ダウンリンクは基地局からユーザ機器に向かう方向である。論理チャネル及びトランスポートチャネルは、どのデータが転送されるのかを規定し、物理チャネルは、どの物理的特性を用いてデータが転送されるのかを規定する。より詳細には、トランスポートチャネルは、データを媒体アクセス制御（ＭＡＣ）及び上位層に転送する。トランスポートブロックは、データビットを含み、トランスポートチャネルを介してＭＡＣと物理層との間で交換されるエンティティである。トランスポートブロックにおけるビット数をトランスポートブロックサイズと呼ぶ。トランスポートブロックは、コードブロックにセグメント化されてもよい。各送信時間間隔（ＴＴＩ）において、ＭＡＣは、トランスポートフォーマットコンビネーション（ＴＦＣ）に従って共に多重化されたトランスポートチャネル毎の所定の数のトランスポートブロックを物理層に配信する。物理層は、トランスポートブロックを使用可能な物理リソース（すなわち、搬送周波数、コードシーケンス及び無線フレーム）にマッピングするための一組の処理を実行する。Ｘ＿ｉ＞Ｚの場合、ビットシーケンスはトランスポートブロック連結からセグメント化される。ここで、Ｘ＿ｉはセグメント化に入力されるビット数であり、Ｚは最大コードブロックサイズである。コードブロックの数はＣ＿ｉ＝Ｘ＿ｉ／Ｚである。セグメント化後のコードブロックは同じサイズである。
【００１０】
トランスポートフォーマットは、ＴＴＩの間にトランスポートチャネル上にトランスポートブロックを配信するために、物理層によりＭＡＣに与えられたフォーマット及びＭＡＣにより物理層に与えられたフォーマットである。
【００１１】
ハイブリッド自動再送要求（ＨＡＲＱ）は、誤りを検出及び訂正するために使用される技術である。チャネル品質が選択されたトランスポートフォーマットに対して十分に適切である場合、被った送信エラーは訂正可能であり、受信機はトランスポートブロックを適切に復号化できる。その場合、肯定応答（ＡＣＫ）は、ユーザ機器により送出され、基地局により受信される。チャネル品質が、選択されたトランスポートフォーマットに対して不適切である場合、全ての送信エラーが訂正されないだろう、そして受信機は、トランスポートブロックの再送信を要求する。すなわち、ＡＣＫは受信されない。再送信により受信されたデータは、復号化が成功する確率を向上させるために、ＨＡＲＱバッファに格納された初回の（すなわち、前の）送信によるデータと組み合わされる。初回の送信のいくつかの態様及び再送信のいくつかの態様は、基地局により制御された冗長バージョン（Ｒｅｄｕｎｄａｎｃｙ  Ｖｅｒｓｉｏｎ：ＲＶ）パラメータにより判定される。ＨＡＲＱ機能に対するサポートシグナリングは、冗長バージョンパラメータ及びトランスポートブロックサイズに関する情報等を送信することを含む。第３世代パートナーシッププロジェクト技術仕様書（３ＧＰＰ  ＴＳ）２５．２１２の４．６．２．１章（「Ｒｅｄｕｎｄａｎｃｙ  ａｎｄ  ｃｏｎｓｔｅｌｌａｔｉｏｎ  ｃｏｄｉｎｇ」）において、バージョンパラメータは、広帯域符号分割多元接続（ＷＣＤＭＡ）／高速ダウンリンクパケットアクセス（ＨＳＰＡ）に対して説明される。ＨＡＲＱは、ＷＣＤＭＡ、ＨＳＤＰＡ及びＬＴＥ（Ｌｏｎｇ  Ｔｅｒｍ  Ｅｖｏｌｕｔｉｏｎ）等の規格において使用される。
【００１２】
進化した（ｅｖｏｌｖｅｄ）無線規格として、時間単位及び帯域幅毎に送信されたデータの量を増加するために１６ＱＡＭ及び６４ＱＡＭ等の高次変調が導入された。効率的に処理するために、大量の送信データは、いくつかのより小さな送信データセグメントに分割され、その後、各データは個々に順方向誤り訂正符号化されている。ＷＣＤＭＡの場合、これは、コードブロックへのトランスポートブロックのセグメント化及びコードブロックのターボ符号化に対応する。最大トランスポートブロックサイズは進化している（ｅｖｏｌｖｉｎｇ）規格と共に増大するが、最大コードブロックサイズは、同一のままであり、ＷＣＤＭＡの例においては５１１４ビットである。
【００１３】
ソフトビット値（ソフトビット、軟値、ログ尤度比（ＬＬＲ）値としても知られる）は、所定のビットが１又は０として送出された尤度を示す実数である。−１００等の大きな負数は、ビットが０である高い尤度を示し、＋１００は、ビットが１である高い尤度を示してもよい。ＱＡＭシンボルにより搬送されたビットは異なる信頼度を有する。異なる信頼度を有する送信ビットを記述するソフトビット値は、トランスポートブロックのコードブロック間で区分される。１６ＱＡＭ及び６４ＱＡＭの変調において、ビットが信号点配置図にマッピングされるために、全てのデマップされたソフトビットが復号化処理において同一の品質及び信頼度を搬送するわけではない。例えば６４ＱＡＭにおいて、ソフトビットインデックス０及び１は、Ｉ／Ｑ半平面（Ｉ／Ｑ  ｈａｌｆ−ｐｌａｎｅｓ）を規定し、最も信頼度の高いビットである。次元につき２回切り替わる（２つの決定境界を使用して）２及び３のソフトビットインデックスは中程度の信頼度を有し、次元につき４回切り替わるソフトビットインデックス４及び５は最も信頼度が低い。コードブロックにおけるソフトビット分布は、３ＧＰＰ技術仕様書において説明されたビット再合成段階の結果である。ソフトビットは、専用のソフトビットバッファ又はあらゆる適切なコンピュータ可読メモリに格納されてもよい。
【先行技術文献】
【非特許文献】
【００１４】
【非特許文献１】３ＧＰＰ  ＴＳ２５．２１２
【発明の概要】
【００１５】
従って、本発明の実施形態の目的は、通信ネットワークにおいて性能を向上させることである。
【００１６】
第１の態様によると、目的は、通信ネットワークにおいてトランスポートブロックをユーザ機器に送信する基地局における方法により達成される。トランスポートブロックは複数のビットを含む。基地局は、ユーザ機器から受信品質に関する情報を受信し、受信品質に基づいてトランスポートフォーマットを選択する。トランスポートブロックに対する復号化性能に基づいて、基地局は、受信品質に対する第１の冗長バージョンパラメータを動的に選択する。基地局は、動的に選択された第１の冗長バージョンパラメータ及び初回の送信において選択されたトランスポートフォーマットに従って配分される複数のビットを含むトランスポートブロックをユーザ機器に送信する。
【００１７】
第２の態様によると、目的は、通信ネットワークにおいてトランスポートブロックをユーザ機器に送信する基地局により達成される。トランスポートブロックは複数のビットを含む。基地局は、ユーザ機器から受信品質に関する情報を受信する。基地局は、受信品質に基づいてトランスポートフォーマットを選択し、且つ初回の送信の間に、受信品質に対する及びトランスポートブロックに対する復号化性能に基づいて、第１の冗長バージョンパラメータを動的に選択するように構成される選択器を備える。基地局は、動的に選択された第１の冗長バージョンパラメータ及び初回の送信において選択されたトランスポートフォーマットに従って配分される複数のビットを含むトランスポートブロックをユーザ機器に送信するように構成される送信機を更に備える。
【００１８】
冗長バージョンパラメータがトランスポートブロックに対する復号化性能に基づいて動的に選択されるため、通信ネットワークにおける性能は向上する。
【００１９】
本発明の実施形態は多くの利点を提供する。多くの利点の例の限定的なリストは以下の通りである。
【００２０】
本発明の実施形態の利点は、各コードブロックが最も信頼度の高いソフトビット、中程度の信頼度のソフトビット及び最も信頼度の低いソフトビットがより均一な分布を有する場合、各コードブロックの復号化が成功する確率はより等しくなる。
【００２１】
本発明の実施形態の結果として得られる利点は、それらが特にＱＡＭ６４においてダウンリンクの性能を向上させることである。トランスポートブロックサイズの範囲にわたり、ゲインは、元々基地局により使用された冗長バージョンパラメータに依存して、スループットの性能を取得するために必要とされる信号対干渉＋雑音比（ＳＩＮＲ）において０．３ｄＢ〜０．６ｄＢ程度である。最も一般的なＲＶ＝０が使用された場合、ゲインは、２２０００ビットを上回るトランスポートブロックサイズに対して可能であり、いくつかのトランスポートブロックに対しては０．６ｄＢ〜１ｄＢほど高い。全てのトランスポートブロックにわたる平均は０．３ｄＢである。
【００２２】
尚、ＱＡＭ１６がその領域においてより適切な能力を有するため、２２０００を下回るトランスポートブロックサイズを有するＱＡＭ６４トランスポートブロックは、いずれにせよスケジュールされない。従って、本発明の実施形態は、結果として、ほぼ全ての実際的なＱＡＭ６４トランスポートブロックの性能が著しく向上するという利点が得られる。
【００２３】
ＱＡＭ１６において、一般にゲインは、約１１０００のサイズを有する、ある特定のトランスポートブロックを除きより小さく、例えば約０．１ｄＢである。特定の場合、０．６ｄＢの大きなゲインが可能である。
【００２４】
１５コードを仮定して、上記トランスポートブロックサイズが与えられる。しかし、利点はより少ないコードと同様である。
【００２５】
本発明の実施形態は上述の特徴及び利点に限定されない。以下の詳細な説明を読むことにより、追加の特徴及び利点が当業者には理解されるだろう。
【図面の簡単な説明】
【００２６】
次に、本発明の実施形態を示す添付の図面を参照することにより、以下の詳細な説明において実施形態をより詳細に更に説明する。
【図１】通信ネットワークの実施形態を示す概略ブロック図である。
【図２】図２（ａ）及び図２（ｂ）は、方法の実施形態を示すフローチャートである。
【図３】種々の冗長バージョンパラメータのシミュレーションを示すグラフである。
【図４】基地局における方法の実施形態を示すフローチャートである。
【図５】基地局の実施形態を示す概略ブロック図である。
【図６】基地局の実施形態を示す概略ブロック図である。
【図７】基地局の実施形態を示す概略ブロック図である。  図面は必ずしも縮尺通りではなく、ある特定の特徴の大きさを明確にするために誇張されていてもよく、本発明の実施形態の原理を例示することに重点が置かれる。
【発明を実施するための形態】
【００２７】
コードブロックにわたる最も信頼度の高いビット分布も最も信頼度の低いビット分布も、基地局が制御する冗長バージョンパラメータによる影響を受ける。従って、本発明の実施形態は、選択されたトランスポートフォーマットに依存して、均一な又は最も小さなばらつきのソフトビットの信頼度分布を実現するために冗長バージョンパラメータを動的に選択することに関する。冗長バージョンパラメータを動的に選択することがそのコードブロックに対する受信機の性能に影響を及ぼすため、いくつかの実施形態において、基地局は、最適な冗長バージョンパラメータを選択することによる改善を反映するように、トランスポートフォーマットルックアップテーブルを更に変更する。冗長バージョンパラメータの選択は、初回の送信の間もトランスポートブロックに対するブロック誤り率（ＢＬＥＲ）の性能を最適化するために使用されてもよい。この場合、冗長バージョンパラメータの最適値はトランスポートブロックに依存する。このコンテキストにおいて、動的選択は、ソフトビットのより均一な信頼度分布を実現するために、選択されたトランスポートフォーマットに依存して初回の送信の間、異なる冗長バージョンパラメータが選択されることに関連する。同一の冗長バージョンパラメータが全ての送信に対して使用される、静的選択とは対照的である。
【００２８】
図１は、本発明の実施形態が実現されてもよい無線通信ネットワーク１００を示す。通信ネットワーク１００は、いくつかの実施形態においてあらゆる適切な通信規格及びあらゆる適切な構成要素を使用することに適用されてよい。通信規格は、ＬＴＥ、ＬＴＥ  Ａｄｖａｎｃｅｄ、ＷＣＤＭＡ、汎ヨーロッパデジタル移動通信システム（ＧＳＭ）又は他のあらゆる３ＧＰＰ無線アクセス技術等の１つ以上の無線アクセス技術であってもよい。
【００２９】
通信ネットワーク１００は、ＮｏｄｅＢ、ｅＮｏｄｅＢ又は無線チャネル１０３を介してユーザ機器１０５と通信できる他のあらゆるネットワークユニットである、基地局１０１を含む。基地局１０１は、例えば冗長バージョンパラメータを選択するように構成されたスケジューラを備える。以下の図６に関連して、スケジューラについてより詳細に説明する。
【００３０】
ユーザ機器１０５は、無線チャネルを介して基地局と通信できる通信機能を有するあらゆる適切な通信デバイス又は計算デバイスであってもよく、例えば移動電話、スマートフォン、パーソナルデジタルアシスタント（ＰＤＡ）、タブレットコンピュータ、ラップトップ、ＭＰ３プレーヤ又はポータブルＤＶＤプレーヤ（又は同様のメディアコンテンツデバイス）、デジタルカメラ、あるいは更にはＰＣ等の固定装置であるがそれらに限定されない。ＰＣは、ブロードキャスト／マルチキャストメディアの端局である移動局を介して更に接続されてもよい。更にユーザ機器１０５は、電子写真フレーム等に組み込まれた通信デバイス、心臓監視機器、侵入又は他の監視機器、天気データ監視システム、車両、自動車又は輸送通信機器等であってもよい。ユーザ機器１０５は、図面のうちのいくつかにおいてＵＥとして示される。
【００３１】
本発明の実施形態によると、所定のトランスポートブロックに対する基地局１０１は、所定のトランスポートブロック長、コードの割り当て、変調等に対して結果として最も有利なソフトビット信頼度分布となる冗長バージョンパラメータを動的に選択する。
【００３２】
通信ネットワーク１００の例は、ユーザ機器１０５間又はユーザ機器１０５と固定電話機などの別の通信デバイスとの間の通信をサポートするのに適したあらゆる追加要素を更に含んでもよい。例示されたユーザ機器１０５は、ハードウェア及び／又はソフトウェアのあらゆる適切な組み合わせを含む通信デバイスを示してもよい。同様に、例示された基地局１０１は、ハードウェア及び／又はソフトウェアのあらゆる適切な組み合わせを含む基地局を示してもよいが、この基地局は、特に実施形態において、図５〜図７により更に詳細に示される基地局１０１等として基地局を例示される。
【００３３】
ＷＣＤＭＡはソフトビット合成手順を実装する。トランスポートブロックをコードブロックに区分する際にソフトビットを選択するためのアルゴリズムは、規格により規定されているが、最適ではない。ビット合成手順は、ＷＣＤＭＡ規格に組み込まれ、変更できない。理想的には、各コードブロックは、最も信頼度の高いソフトビット、中程度の信頼度のソフトビット及び最も信頼度の低いソフトビットを同様の割合で有するべきである。これにより、各コードブロックの復号化が成功する確率は等しくなる。いくつかのコードブロックは、最も信頼度の低いソフトビットの割合がより高くなる場合に、復号化に失敗する可能性が非常により高くなる。その結果、トランスポートブロック全体は、巡回冗長検査（ＣＲＣ）検査に失敗する。
【００３４】
しかし、ＷＣＤＭＡ  ＨＡＲＱアルゴリズムは、トランスポートブロックサイズ及び符号化率に依存して、最も信頼度の高いソフトビット／最も信頼度の低いソフトビットをコードブロック間で均一に分配していない。ある特定の場合において、受信されたいくつかのコードブロックは、最も信頼度の高いソフトビットより最大５０％多くの最も信頼度の低いソフトビットを有する。この問題は、３ＧＰＰ仕様書の、特別なシステマティックビット対パリティビットの合成手順により発生する。そのようなトランスポートブロックは、ソフトビットがトランスポートブロックのコードブロックにおいて均一に分布された場合と比較して、おそらく最大１ｄＢまで性能が低下する。
【００３５】
以下の表１は、ＨＳＤＰＡ、１５コードＱＡＭ６４トランスポートブロックの例の場合の、個々のコードブロック内のソフトビットの分布を示す。表１において、ソフトビットバッファは合計４３２００個のソフトビットを含む。１５コードは、トランスポートブロックを送信するために使用されている１５個の並列物理拡散因子（ＳＦ）ＳＦ１６拡散コードを示す。表１は、冗長バージョンパラメータＲＶ＝６の場合のものである。以下において、冗長バージョンパラメータをより詳細に説明する。一番上の行は、異なるトランスポートブロックサイズを含む。最も左の列はコードブロック１〜９を含む。表１から分かるように、６〜９の番号のコードブロックは、２５０００〜４２１９２のトランスポートブロックサイズに対して示される。難しい（ｄｉｆｆｉｃｕｌｔ）コードブロックは、最も信頼度の低いソフトビットを高いパーセントで有し、表１において下線を使用してマーク付けされる。難しいコードブロックとは、より劣るＢＬＥＲ対ＳＩＮＲの性能を有するコードブロックであり、すなわち所定の条件の場合に正常に復号化される可能性が低い。簡単な（ｅａｓｙ）コードブロックは、最も信頼度の高いソフトビットを高いパーセントで有し、表１においてイタリック体でマーク付けされる。太字でマーク付けされたコードブロックは、信頼できるソフトビット／信頼できないソフトビットが略均一に分布されたコードブロックである。各コードブロックにおける最も信頼度の高いソフトビット／中程度の信頼度のソフトビット／最も信頼度の低いソフトビットの数を表１に示す。
【００３６】
ソフトビット分布の大きな変動は、表１において最大のトランスポートフォーマットの殆どに対して見られる。例えば、トランスポートブロックサイズが約３００００である場合、第１のコードブロック１が特に悪く、最も信頼度の低いソフトビットを多数有しており、最も信頼度の高いソフトビット、中程度の信頼度のソフトビット及び最も信頼度の低いソフトビットがそれぞれ２００４、２００３及び３１９３であることが表１から分かるだろう。悪いコードブロックは、復号化に失敗する確率がより高いコードブロックである。残りのコードブロックは、最も信頼度の低いソフトビットより多くの最も信頼度の高いソフトビットを有する。トランスポートブロックに対するＢＬＥＲは最も劣るコードブロックにより判定されるため、表１に示される不均一なソフトビット信頼度分布により、ＢＬＥＲの性能は低下する。ＢＬＥＲは、受信された誤ったトランスポートブロックの数と送出されたトランスポートブロックの総数との比として規定される。誤ったトランスポートブロックは、ＣＲＣが失敗したトランスポートブロックとして規定される。
【００３７】
表１：コードブロック内のソフトビットの分布、１５コードＱＡＭ６４、ＨＳＤＰＡ、ＲＶ＝６
2015513816.tif 000003
【００３８】
例えば基地局１０１のスケジューラにおける１つの設定可能なパラメータは、冗長バージョンパラメータである。冗長バージョンパラメータの主な機能は、再送信においてパリティ情報の処理を管理し、且つ適切な更なる冗長の組み合わせを提供することである。例えば最も信頼度の低い位置において事前に送出された情報がより高い信頼度で再送信されることを保証することにより、これを実現する。以下の表２は、高速共有制御チャネル：（ＨＳ−ＳＣＣＨ）タイプ１のための１６ＱＡＭ及び６４ＱＡＭ、に対する８個の可能な冗長バージョンパラメータを示す。タイプ１、２及び３は、異なるＨＳ−ＳＣＣＨフォーマットを使用する、ネットワークにおける異なる動作モードを示す。
【００３９】
表２：冗長バージョンパラメータ
2015513816.tif 000004
【００４０】
最も左の列は、冗長バージョンパラメータの８個の異なる値０〜７を含む。冗長バージョンパラメータの８個の異なる値は、表２の中央左の列、中央右の列及び最も右の列において示されるように、他の３つのパラメータＳ、Ｒ及びｂを制御する。Ｓパラメータは、ターボコードのシステマティックビット又はパリティビットに優先度を割り当てるために使用され、Ｒパラメータは、パンクチャアリング及び反復のために使用され、ｂパラメータは、信号点配置の位置を変更するために使用される。表２から分かるように、ｂパラメータの４つの異なる値、すなわち０、１、２又は３が可能である。
【００４１】
ＨＳ−ＳＣＣＨタイプ１のシナリオにおいて、初回の送信に対する冗長バージョンパラメータが選択可能である。ＨＳ−ＳＣＣＨタイプ２のシナリオにおいて、固定のＲＶ＝０パラメータは基地局１０１により選択される。ＨＳ−ＳＣＣＨタイプ３のシナリオ、すなわち多入力多出力（ＭＩＭＯ）においても、冗長バージョンパラメータを選択することが可能である。最新の基地局において、同一の冗長バージョンパラメータは、トランスポートフォーマットに関係なく初回の送信の間に常に使用される。例えば、殆どの基地局メーカはＲＶ＝０を使用する。従って、初回の送信に対する冗長バージョンパラメータは、従来、静的パラメータであると考えられている。
【００４２】
以下において、トランスポートブロックサイズ（ｔｒＢＬＫ）＝２３８０８で１５コードＱＡＭ６４のトランスポートブロックのうちの１つの冗長バージョンパラメータ０〜６の各々に対するｂパラメータの効果を表３に示す。トランスポートブロックは、５個のコードブロック１〜５に分割され、そのうちのいくつかは、上述したように、重大度に依存して下線又はイタリック体と組み合わされた下線でマーク付けされた最も信頼度の低いソフトビットを特に高い割合で有する。ＲＶ＝０、１又は６の場合、第１のコードブロック１は、２＊１９００より大きい最も信頼度の低いソフトビットを有するために復号化するのが最も困難であることが表３から分かるだろう。冗長バージョンパラメータの他の値の場合、コードブロック３、４、５も難しいと考えられる。しかし、ＲＶ＝５の場合、より多くの最も重要でないソフトビットは、イタリック体でマーク付けされたより多くの最も信頼度の高いソフトビットにより軽減される。従って、冗長バージョンパラメータ５は、最良に動作すると予想される。
【００４３】
表３：トランスポートブロックＱＡＭ６４、１５個のコード、サイズ＝２３８０８
2015513816.tif 000005
【００４４】
不均一なソフトビット信頼度分布により、ＢＬＥＲの性能は低下する。ソフトビット信頼度分布及び特にその不均一さは、冗長バージョンパラメータ設定におけるｂパラメータに依存する。
【００４５】
次に、図２（ａ）及び図２（ｂ）に示されるフローチャートを参照して、いくつかの実施形態に係る通信ネットワークにおいてトランスポートブロックを送信する方法を説明する。図２（ａ）と図２（ｂ）との差異は、図２（ａ）において冗長バージョンパラメータ選択がトランスポートフォーマットルックアップテーブルを最適化せずに適用される（例えば、固定の第１の冗長バージョンパラメータ設定を有する、最新の動作に対して設計された表が使用される）のに対し、図２（ｂ）のルックアップテーブルは、冗長バージョンパラメータの最適化を考慮して作成されることである。図２（ａ）に示される方法は、以下において説明する以外の別の適切な順序でも実行されてもよい、以下のステップを含む。
【００４６】
ステップ２０１ａ
基地局１０１は、ユーザ機器１０５における受信品質（ＲＸＱ）及びトランスポートフォーマットリソースコンビネーション（ＴＦＲＣ）に関する情報、例えばＲＸＱ対ＴＦＲＣ表を準備する。ＲＸＱ対ＴＦＲＣ表は、ルックアップテーブル（ＬＵＴ）であってもよい。他の実施形態において、受信品質をトランスポートフォーマットにマッピングするために、表ではなく関数が使用されてもよい。しかし、ＲＸＱ対ＴＦＲＣ表が一例として以下のように使用される。ＲＸＱ対ＴＦＲＣ表は、冗長バージョンパラメータを全く最適化せずに、受信品質及びトランスポートフォーマットの可能な組み合わせに関する情報を含む。受信品質は、ユーザ機器１０５において観測された受信された信号品質である。表は、基地局１０１のコンピュータ可読メモリにおいて格納される。以下において、表の一例を表４に示す。表４において、左の列は受信品質を含み、右の列はトランスポートフォーマットを含む。
【００４７】
表４
2015513816.tif 000006
【００４８】
このステップは、例えば数値シミュレーションを実行し、且つ基地局１０１のスケジューラ構成を判定するためにその結果を使用することにより、ステップ２０２ａを実行する前のある時間にオフラインで実行されるという利点がある。
【００４９】
ステップ２０２ａ
基地局１０１は、ユーザ機器１０５から受信品質に関する情報を受信する。受信品質は、例えばチャネル品質指標（ＣＱＩ）又はその更に処理（フィルタされた及び／又はオフセット）された関数の形式であってもよく、基地局１０１とユーザ機器１０５との間の無線チャネル１０３のチャネル品質の程度を表す。ＣＱＩ値は、等化の後のシンボルＳＩＮＲを反映してもよく、１ｄＢ又は２ｄＢのステップ間の受信品質差を伴う１〜３０の数である。一例として上記の表４を使用して、受信品質ＲＸＱ２が受信されてもよい。
【００５０】
基地局１０１は、定期的に、例えば２ｍｓ毎にユーザ機器１０５からＣＱＩ報告を受信してもよい。
【００５１】
受信品質の受信値は、基地局１０１に備えられたコンピュータ可読メモリに格納されてもよい。いくつかの実施形態において、基地局１０１は、一度にただ１つの受信品質値を格納するだけでよい。別の実施形態において、基地局１０１は、複数の受信品質値を表の形式でメモリに格納してもよい。
【００５２】
ステップ２０３ａ
基地局１０１は、受信した受信品質に対するトランスポートフォーマットをステップ２０１ａで作成された表から選択する。ＲＸＱ対ＴＦＲＣ表において、所定のユーザ機器１０５から受信した受信品質情報は、全てのトランスポートブロックサイズに対する固定の冗長バージョンパラメータを仮定して、使用されるトランスポートフォーマットにマッピングされる。ステップ２０２ａの例に続いて受信品質ＲＸＱ２が受信されると、次に基地局１０１は、トランスポートフォーマットＴＦＲＣ２を選択する。
【００５３】
一般にトランスポートフォーマットは、初回の送信において選択された目標ＢＬＥＲを維持するために、オフラインのシミュレーション結果に基づいて選択される。そのような実施形態において、図２（ａ）に示されるように、ある特定のトランスポートブロックサイズの範囲においてＱＡＭ送信に対する初回の送信ＢＬＥＲを低下させることにより、平均スループットは向上する。
【００５４】
冗長バージョンを最適化せずに表からトランスポートフォーマットを選択することにより、僅かに最適以下のトランスポートフォーマットが選択されるかもしれない。例えば、デフォルトの冗長バージョンパラメータの場合に第２の冗長バージョンパラメータが現在のＲＸＱを超える受信品質を有してもよいため、２４２００サイズのＴＦＲＣではなく、２４０００のサイズを有するＴＦＲＣが選択されてもよい。
【００５５】
ステップ２０４ａ
基地局１０１は、選択されたトランスポートフォーマットに対して最適であり且つトランスポートブロックの復号化性能に基づいて第１の冗長バージョンパラメータを動的に選択する。第１の冗長バージョンパラメータは、ユーザ機器１０５へのデータの初回の送信に対するものである。第１の冗長バージョンパラメータは、複数のトランスポートフォーマットの各トランスポートフォーマットに対する最適な第１の冗長バージョンパラメータに関する情報を含む表から動的に選択される。以下において、この表の一例を表５に示す。表５において、左の列はトランスポートフォーマットを含み、右の列は第１の冗長バージョンパラメータを含む。
【００５６】
表５
2015513816.tif 000007
【００５７】
ステップ２０３ａにおいて、トランスポートフォーマットＴＦＲＣ２が一例として選択された。表５から、第１の冗長バージョンパラメータＲＶ＝１がＴＦＲＣ２に対して選択されることが分かる。
【００５８】
図３は、初回の送信において動的に選択された冗長バージョンパラメータに依存する相対的なトランスポートブロックの性能のシミュレーションを示すグラフである。図３のｙ軸は、デシベルで測定され、ＲＶ＝０で必要とされるものと比較して、１０％のＢＬＥＲに到達するために必要とされる受信した自身のセルの信号電力と干渉電力との比における差、すなわちｌｏｒ／ｌｏｃの差を表す。図３のｘ軸は、トランスポートブロックサイズである。実線はＲＶ＝３を示し、破線はＲＶ＝５を示し、点のある実線はＲＶ＝６を示す。尚、これらの３つの選択された冗長バージョンパラメータのみをシミュレートした。また、いくつかの冗長バージョンパラメータの性能は非常に類似している。例えばＲＶ＝０は、ＲＶ＝１、ＲＶ＝６及びＲＶ＝７と同様に動作する。ＲＶ＝２は、ＲＶ＝３及びＲＶ＝４と同様に動作する。ＲＶ＝５は一意である。ＲＶ＝５は、表２において２に等しい「ｂ」パラメータを有する唯一の冗長バージョンパラメータであるためにユニークである。パラメータｂは、コードブロック内の最も信頼度の高いビット及び最も信頼度の低いビットの比率に影響を及ぼす。より低い値はより適切な性能を示す。従って、基準レベル０ｄＢはＲＶ＝０に対応し、０ｄＢを下回る線は性能向上の可能性を示す。冗長バージョンパラメータ間の相対的な性能の差の別の理由は、選択されたシステマティックビット／パリティビットの比率である。相対的な性能は、トランスポートブロックサイズに依存して変動することが図３からも分かるだろう。最悪の冗長バージョンパラメータと最良の冗長バージョンパラメータとの差異は、０．５ｄＢ〜１ｄＢほどの大きさである。尚、トランスポートブロック間の相対的差異は、ユーザ機器の受信機の設計によるものではない。
【００５９】
ＱＡＭ１６では、Ｉ次元及びＱ次元の各々において２ビットしか送信されないため、中程度の信頼度のソフトビットがない。ユーザ機器のカテゴリに依存して、ソフトビットバッファサイズは、２８８００又は４３２００であってもよく、それはソフトビット分布にも影響を及ぼす。冗長バージョンパラメータ間の相対的差異は、ＱＡＭ６４よりＱＡＭ１６において小さいが、それにもかかわらず存在する。
【００６０】
一実施形態において、「最適な」は、最も低いＢＬＥＲを達成することを意味する。一例として、図３のシミュレーション結果に基づいて、基地局１０１は、ＲＶ＝６又はＲＶ＝３が更なる改善を与えるある特定のトランスポートブロックサイズを除いて、２２０００ビットを下回るトランスポートブロックサイズに対してＲＶ＝０及びより大きなトランスポートブロックサイズに対してＲＶ＝５を選択する。尚、図３は一例にすぎない。実際には、より高い分解能のシミュレーション及び全てのトランスポートブロックの組み合わせに対するシミュレーションが実行される。
【００６１】
別の実施形態において、「最適な」は、不均一な信頼度分布を回避することを意味する。一例として表３を使用して、列が比較され、あらゆるコードブロックにおける又は信頼度の高いソフトビット及び信頼度の低いソフトビットの数が平均化される場所における、最も小さい下線を引かれたエントリを有する冗長バージョンパラメータが選択される。ＲＶ＝５はその例において選択される。また、各冗長バージョンパラメータの下に含まれたシステマティックビットとパリティビットとの比は、最適な冗長バージョンパラメータを動的に選択する際の差別化要因であると考えられてもよい。
【００６２】
図２（ａ）に戻る。
【００６３】
ステップ２０５ａ
基地局１０１は、選択されたトランスポートフォーマット及び動的に選択された第１の冗長バージョンパラメータ、例えばＴＦＲＣ２及びＲＶ＝１に従って、データを所定のユーザ機器１０５に送信する。この送信は初回の送信である。
【００６４】
ステップ２０６ａ
基地局１０１は、選択されたトランスポートフォーマットに対する及び更に第１の冗長バージョンパラメータに基づく最適な第２の冗長バージョンパラメータを動的に選択する。これは、データの再送信が行われる必要がある場合、すなわちステップ２０５ａで送信されたデータがユーザ機器１０５により正常に復号化されなかった場合に行われる。復号化が失敗する理由は、例えばチャネル及び干渉の背景の変化、ＣＱＩ推定の誤り等であってもよい。基地局１０１は、データがステップ２０５ａで初回に送信された後の事前定義済みの期間内にユーザ機器１０５からＡＣＫを全く受信していない場合にこのステップを実行する。
【００６５】
ステップ２０７ａ
基地局１０１は、選択されたトランスポートフォーマット及び動的に選択された第２の冗長バージョンパラメータに従ってデータを所定のユーザ機器１０５に再送信する。再送信の間、最も信頼度の高いソフトビット／中程度の信頼度のソフトビット／最も信頼度の低いソフトビットの位置は、初回の送信と比較して逆になる傾向があり、次に初回の送信による元のソフトビットに追加される。また、再送信方式は、最も信頼度の高い位置において最も信頼度の低いソフトビットを再送信する傾向があり、それによりコードブロック内の不均一な分布による損失は減少する。
【００６６】
次に、図２（ｂ）に示されるフローチャートを参照して、いくつかの実施形態に係る通信ネットワークにおいてトランスポートブロックを送信する方法を説明する。方法は、以下において説明する以外の別の適切な順序でも実行されてもよい以下のステップを含む。
【００６７】
ステップ２０１ｂ
基地局１０１は、ユーザ機器１０５における受信品質に関する情報及びトランスポートフォーマットに関する情報を含む表、すなわちＲＸＱ対ＴＦＲＣ表を準備する。ＲＸＱ対ＴＦＲＣ表はＬＵＴであってもよい。ＲＸＱ対ＴＦＲＣ表は、冗長バージョンパラメータに関する最適化と共に、受信品質とトランスポートフォーマットとの可能な組み合わせに関する情報を含む。このステップは、ステップ２０２ｂを実行する前のある時間、例えばステップ２０２ｂを実行する直前又はステップ２０２ｂを実行するずっと前にオフラインで実行される。
【００６８】
いくつかの実施形態において、ルックアップテーブルは、許可された全てのトランスポートブロックサイズに対する全ての冗長バージョンパラメータのＢＬＥＲ性能を比較することで作成される。トランスポートフォーマット毎に、最良に動作する冗長バージョンパラメータ及びその受信品質が格納され、ルックアップテーブルはこれらのエントリから作成される。別の実施形態において、ブロックサイズに依存するオフセットは、固定の初回の送信の冗長バージョンパラメータに対して設計される標準的なルックアップテーブルへの引数として使用された受信品質値に追加される。そのような一実施形態は、目標ＢＬＥＲを維持しつつより高速な送信をスケジュールすることで平均スループットを向上させる。
【００６９】
表は、オフラインのシミュレーション結果に基づいてもよい。シミュレーションは、基地局メーカにより実行され、且つ事前設定データとして基地局１０１のメモリに格納されてもよい。
【００７０】
以下において、表の一例を表６に示す。表６において、左の列は受信品質を含み、中央の列はトランスポートフォーマットを含み、右の列は第１の冗長バージョンパラメータを含む。
【００７１】
表６
2015513816.tif 000008
【００７２】
ステップ２０２ｂ
このステップは、図２（ａ）のステップ２０２ａに対応する。基地局１０１は、ユーザ機器１０５からＲＸＱ４等の受信品質を受信する。受信品質は、基地局１０１とユーザ機器１０５との間の無線チャネル１０３のチャネル品質の程度を表すＣＱＩの形式であってもよい。
【００７３】
基地局１０１は、定期的に、例えば２ｍｓ毎にユーザ機器１０５から受信品質の値を受信してもよい。
【００７４】
受信品質の受信値は、基地局１０１に含まれたコンピュータ可読メモリに格納されてもよい。いくつかの実施形態において、基地局１０１は、一度にただ１つの受信品質値を格納するだけでもよい。別の実施形態において、基地局１０１は、複数の受信品質値を表の形式でメモリに格納してもよい。
【００７５】
ステップ２０３ｂ
基地局１０１は、例えばステップ２０１ｂで作成された表を使用して受信した受信品質に対するトランスポートフォーマット及び第１の冗長バージョンパラメータを選択する。ＲＸＱ対ＴＦＲＣ表において、ユーザ機器１０５から受信したＣＱＩ情報等の受信品質情報は、使用されるトランスポートフォーマットにマッピングされる。
【００７６】
例えば、受信した受信品質がＲＸＱ４である場合、表６を使用してトランスポートフォーマットＴＦＲＣ４及び第１の冗長バージョンパラメータＲＶ＝６が選択される。
【００７７】
ステップ２０４ｂ
このステップは、図２（ａ）のステップ２０５ａに対応する。基地局１０１は、選択されたトランスポートフォーマット及び第１の冗長バージョンパラメータ、例えばＴＦＲＣ４及びＲＶ＝６に従って、データを所定のユーザ機器に送信する。この送信は初回の送信である。
【００７８】
ステップ２０５ｂ
基地局１０１は、選択されたトランスポートフォーマットに対する及び更に第１の冗長バージョンパラメータに基づく最適な第２の冗長バージョンパラメータを動的に選択する。これは、データの再送信が行われる必要がある場合、すなわちステップ２０４ｂで送信されたデータがユーザ機器１０５により正常に復号化されなかった場合に行われる。上述したように、復号化が失敗する理由は、コードブロックにおけるソフトビットの不均一な分布であるかもしれない。基地局１０１は、データがステップ２０４ｂで初回に送信された後の事前定義済みの期間内にユーザ機器１０５からＡＣＫを全く受信していない場合にこのステップを実行する。
【００７９】
ステップ２０６ｂ
基地局１０１は、選択されたトランスポートフォーマット及び動的に選択された第２の冗長バージョンパラメータに従ってデータを所定のユーザ機器１０５に再送信する。再送信の間、最も信頼度の高いソフトビット／中程度の信頼度のソフトビット／最も信頼度の低いソフトビットの位置は、初回の送信と比較して逆になる傾向があり、次に初回の送信による元のソフトビットに追加される。また、再送信方式は、最も信頼度の高い位置において最も信頼度の低いソフトビットを再送信する傾向があり、それによりコードブロック内の不均一な分布による損失は減少する。
【００８０】
次に、上述の方法を基地局１０１の観点から見て説明する。図４は、通信ネットワーク１００においてトランスポートブロックをユーザ機器１０５に送信する基地局１０１における本発明の方法を説明するフローチャートである。上述したように、トランスポートブロックは複数のビットを含む。方法は、どのような適切な順序で実行されてもよい、基地局１０１により実行される以下のステップを含む。
【００８１】
ステップ４０１
このステップは、図２（ａ）のステップ２０３ａ及び図２（ｂ）のステップ２０３ｂに対応する。基地局１０１は、ユーザ機器１０５へのダウンリンク伝送において使用するためのトランスポートフォーマットを選択する。
【００８２】
いくつかの実施形態において、トランスポートフォーマットは、複数のトランスポートフォーマットの各トランスポートフォーマットに対するユーザ機器１０５における受信品質に関する情報を含む表から選択される。この表は、冗長バージョンパラメータに対して最適化されない。上記の図２（ａ）のステップ２０１ａに関連して、この表の一例を表４に示す。
【００８３】
いくつかの実施形態において、トランスポートフォーマットは、複数のトランスポートフォーマットの各トランスポートフォーマット及び複数の第１の冗長バージョンパラメータの第１の冗長バージョンパラメータの各々に対するユーザ機器１０５における受信品質に関する情報を含む表から選択される。換言すると、表は、冗長バージョンパラメータに対して最適化される。表は、基地局１０１のコンピュータ可読メモリに格納される。上記の図２（ｂ）のステップ２０１ｂに関連して、この表の一例を表６に示す。
【００８４】
いくつかの実施形態において、トランスポートフォーマットはＨＳＤＰＡトランスポートフォーマットである。
【００８５】
ステップ４０２
このステップは、図２（ａ）のステップ２０４ａ及び図２（ｂ）のステップ２０３ｂに対応する。基地局１０１は、トランスポートブロックに対するユーザ機器１０５の復号化性能に基づいて第１の冗長バージョンパラメータを動的に選択する。上記の表２に示されたように、第１の冗長バージョンパラメータは０〜７であってよい。冗長バージョンパラメータの選択は、コードブロックにおいて最も信頼度の高いビット及び最も信頼度の低いビットの分布のされ方に影響を及ぼす。従って、冗長バージョンパラメータは、各再送信においてシステムスループットを最大限にするために選択される。
【００８６】
いくつかの実施形態において、トランスポートフォーマット及び第１の冗長バージョンパラメータは、複数のトランスポートフォーマットのトランスポートフォーマットと第１の冗長バージョンパラメータとの組み合わせ及び第１の冗長バージョンパラメータの組み合わせの各々に対するユーザ機器１０５において必要とされる受信品質に関する情報を含む表から一緒に選択される。更に表は、ユーザ機器１０５において観測された信号受信品質に対する好適なトランスポートフォーマットと第１の冗長バージョンパラメータとの組み合わせに関する情報を含むものとしてもよい。表は、基地局１０１のコンピュータ可読メモリに格納される。上記の図２（ｂ）のステップ２０１ｂに関連して、この表の一例を表６に示す。必要とされる信号受信品質は、必要とされる受信性能を実現するための信号品質である。信号品質は、ある特定の基準が満たされるものであるべきである。例えば基準は、受信機において１０％ＢＬＥＲであってもよい。
【００８７】
いくつかの実施形態において、第１の冗長バージョンパラメータは、複数のトランスポートフォーマットの各トランスポートフォーマットに対する最適な第１の冗長バージョンパラメータに関する情報を含む表から動的に選択される。表は、基地局１０１のコンピュータ可読メモリに格納される。上記の図２（ａ）のステップ２０４ａに関連して、この表の一例を表６に示す。
【００８８】
いくつかの実施形態において、復号化性能は、ＢＬＥＲ、少なくとも１つのコードブロックにおける複数のビットの信頼度分布、少なくとも１つのコードブロックにおけるシステマティックビット及びパリティビットの分布、のうちの少なくとも１つと関連付けられる。
【００８９】
ステップ４０３
いくつかの実施形態において、動的に選択された第１の冗長バージョンパラメータに基づいて、基地局１０１は、ユーザ機器１０５における受信品質に関する情報を含む表、例えば更新する表５又は６において、受信品質に関する情報を更新する。表の更新を表の最適化と呼んでもよい。デフォルトでは、表は、例えばＲＶ＝０の場合に算出された受信品質メトリックス（ｍｅｔｒｉｃｓ）を含む。トランスポートフォーマットに対する第１の冗長バージョンパラメータに従って更新した後、表は、ＲＶ＝５、ＲＶ＝０の場合のトランスポートフォーマット及びＲＶ＝３の場合のトランスポートフォーマットに関する情報を含む。
【００９０】
ステップ４０４
このステップは、図２（ａ）のステップ２０５ａ及び図２（ｂ）のステップ２０４ｂに対応する。基地局１０１は、動的に選択された第１の冗長バージョンパラメータ及び初回の送信において選択されたトランスポートフォーマットに従って配分する複数のビットを含むトランスポートブロックをユーザ機器１０５に送信する。
【００９１】
いくつかの実施形態において、動的に選択された第１の冗長バージョンパラメータに従って配分されるトランスポートブロックの複数のビットは、ＱＡＭシンボルにマッピングされる。
【００９２】
上述したように、初回の送信において、トランスポートフォーマット及び第１の冗長バージョンパラメータは、一緒に又は順次選択される。
【００９３】
ステップ４０５
このステップは、図２（ａ）のステップ２０６ａ及び図２（ｂ）のステップ２０５ｂに対応する。基地局１０１は、第１の冗長バージョンパラメータに基づいて第２の冗長バージョンパラメータを動的に選択する。
【００９４】
いくつかの一般的な実施形態において、第１の冗長バージョンパラメータは第２の冗長バージョンパラメータとは異なる。
【００９５】
いくつかの冗長バージョンパラメータは互いに使用不可である。例えば、最良の性能を実現するために、再送信において最も信頼度の高いビット／最も信頼度の低いビットが初回の送信に対して逆の順序で送出される必要があるため、ＲＶ＝１はＲＶ＝０の後に使用されない。冗長バージョンパラメータのある特定のパターンのみが、それを実現するために使用されてもよい。第１の冗長バージョンパラメータに依存して、基地局は、例えば「０５２６」、「５０６２」、「６２５０」等の異なるパターンを使用してもよい。
【００９６】
ステップ４０６
このステップは、図２（ａ）のステップ２０７ａ及び図２（ｂ）のステップ２０６ｂに対応する。基地局１０１は、動的に選択された第２の冗長バージョンパラメータ及び選択されたトランスポートフォーマットに従って配分する複数のビットを含むトランスポートブロックをユーザ機器１０５に再送信する。
【００９７】
動的に選択された第１の冗長バージョンパラメータに従って配分するトランスポートブロックの複数のビットは、ＱＡＭシンボルにマッピングされる。
【００９８】
上述したように、再送信において、選択されるのは第２の冗長バージョンだけである。トランスポートフォーマットは同一のままである。一般に第２の冗長バージョンパラメータは、固定のシーケンス［ＲＶ２，．．．，ＲＶｎ，．．．ＲＶＮ］＝Ｆ（ＲＶ１）から選択される。この場合、ｎ＞１であり正の整数、Ｎは正の整数である。
【００９９】
通信ネットワーク１００においてトランスポートブロックをユーザ機器１０５に送信する図４に示された方法ステップを実行するために、基地局１０１は、図５に示されるような構成を備える。トランスポートブロックは複数のビットを含む。いくつかの実施形態において、動的に選択された第１の冗長バージョンパラメータに従って配分されるトランスポートブロックの複数のビットは、ＱＡＭシンボルにマッピングされる。
【０１００】
基地局１０１は、トランスポートフォーマットを選択し、且つトランスポートブロックに対する復号化性能に基づいて第１の冗長バージョンパラメータを動的に選択するように構成された選択器５０１を備える。いくつかの実施形態において、第１の冗長バージョンパラメータは、複数のトランスポートフォーマットの各トランスポートフォーマットに対する最適な第１の冗長バージョンパラメータに関する情報を含む表から動的に選択される。いくつかの実施形態において、トランスポートフォーマットは、ＨＳＰＡ  ＤＬトランスポートフォーマットである。いくつかの実施形態において、復号化性能は、ＢＬＥＲ、少なくとも１つのコードブロックにおける複数のビットの信頼度分布、並びに少なくとも１つのコードブロックにおけるシステマティックビット及びパリティビットの分布、のうちの少なくとも１つと関連付けられる。
【０１０１】
いくつかの実施形態において、選択器５０１は、第１の冗長バージョンパラメータに基づいて第２の冗長バージョンパラメータを動的に選択するように更に構成される。いくつかの実施形態において、第１の冗長バージョンパラメータは第２の冗長バージョンパラメータとは異なる。いくつかの実施形態において、第１の冗長バージョンパラメータは、第２の冗長バージョンパラメータと同一である。
【０１０２】
いくつかの実施形態において、トランスポートフォーマット及び第１の冗長バージョンパラメータは、複数のトランスポートフォーマットのトランスポートフォーマットと第１の冗長バージョンパラメータとの組み合わせ及び第１の冗長バージョンパラメータの組み合わせの各々に対するユーザ機器１０５における受信品質に関する情報を含む表から一緒に選択される。
【０１０３】
いくつかの実施形態において、トランスポートフォーマットは、複数のトランスポートフォーマットの各トランスポートフォーマットに対するユーザ機器１０５における受信品質に関する情報を含む表から選択される。
【０１０４】
いくつかの実施形態において、トランスポートフォーマットは、複数のトランスポートフォーマットの各トランスポートフォーマット及び複数の第１の冗長バージョンパラメータの第１の冗長バージョンパラメータの各々に対するユーザ機器１０５における受信品質に関する情報を含む表から選択される。
【０１０５】
基地局１０１は、動的に選択された第１の冗長バージョンパラメータ及び初回の送信において選択されたトランスポートフォーマットに従って配分される複数のビットを含むトランスポートブロックをユーザ機器１０５に送信するように構成された送信機５０５を更に備える。いくつかの実施形態において、送信機５０５は、動的に選択された第２の冗長バージョンパラメータ及び選択されたトランスポートフォーマットとに従って配分される複数のビットを含むトランスポートブロックをユーザ機器１０５に再送信するように更に構成される。
【０１０６】
いくつかの実施形態において、基地局１０１は、動的に選択された第１の冗長バージョンパラメータに基づいて、ユーザ機器１０５における受信品質に関する情報を含む表における受信品質に関する情報を更新するように構成された更新ユニット５０７を更に備える。
【０１０７】
通信ネットワーク１００においてトランスポートブロックをユーザ機器１０５に送信する本実施形態の機構は、本実施形態の機能を実行するメモリ５１５に格納されたコンピュータプログラムコード及び命令と共に、図５に示された基地局の構成におけるプロセッサ回路５１０等の１つ以上のプロセッサにより実現されてもよい。プロセッサ回路５１０は、無線周波数（ＲＦ）回路網及びベースバンド処理回路網（不図示）を含んでもよい。プロセッサは、デジタル信号プロセッサ（ＤＳＰ）、特定用途向け集積回路（ＡＳＩＣ）、フィールドプログラマブルゲートアレイ（ＦＰＧＡ）プロセッサ又はマイクロプロセッサ等であってもよい。図６及び図７のブロックの１つ以上は、基地局１０１の他の機能構成要素と共有されたプロセッサ上で実現されてもよい。あるいは、上述したブロックのうちのいくつかは、専用のハードウェアを使用することで提供されてもよく、他のブロックは、適切なソフトウェア又はファームウェアと関連付けてソフトウェアを実行するハードウェアで提供されてもよい。本明細書において使用されるような「プロセッサ回路」という用語は、ソフトウェアを実行できるハードウェアのみを示さず、デジタル信号プロセッサ（ＤＳＰ）ハードウェアと、ソフトウェアを格納する読み出し専用メモリ（ＲＯＭ）と、ソフトウェア及び／あるいはプログラム又はアプリケーションデータを格納するランダムアクセスメモリと、不揮発性メモリとを制限せずに黙示的に含んでもよい。従来の及び／又は特注の他のハードウェアが更に含まれてもよい。また、上述のプログラムコードは、例えば基地局１０１にロードされる場合に本発明の実施形態を実行するコンピュータプログラムコードを保持するデータ記憶媒体の形態のコンピュータプログラムとして提供されてもよい。そのような記憶媒体の１つは、ＣＤ  ＲＯＭディスクの形態であってもよい。しかし、上述のプログラムコードは、メモリスティック等の他のデータ記憶媒体により実現可能である。更にコンピュータプログラムコードは、サーバ上で純粋なプログラムコートとして提供され、且つ基地局１０１にダウンロードされてもよい。
【０１０８】
メモリ５１５は、１つ以上のメモリユニットを備えてもよい。メモリ５１５は、データ、冗長バージョンパラメータ、ＲＸＱ−ＴＦＲＣ表、受信したデータストリーム、電力レベル測定値、閾値、期間、構成、コンピュータプログラムコード、命令、スケジューリング及び基地局１０１において実行される場合に本発明の方法を実行するアプリケーションを格納するために使用されるように構成される。
【０１０９】
上述の選択器５０１、送信機５０５及び更新ユニット５０７が、アナログ回路とデジタル回路との組み合わせ、並びに／あるいは１つ以上のプロセッサにより実行される場合に上述したプロセッサ５１０のように実行する、例えばメモリに格納されたソフトウェア及び／又はファームウェアを用いて構成された１つ以上のプロセッサでもよいことは、当業者により理解されるだろう。これらのプロセッサのうちの１つ以上及び他のデジタルハードウェアは、単一のＡＳＩＣに備えられてもよく、あるいはいくつかのプロセッサ及び種々のデジタルハードウェアは、個々にパッケージ化されるかあるいはシステムオンチップ（ＳｏＣ）に集められるかに関係なく、いくつかの別個の構成要素間に分散されてもよい。
【０１１０】
図６は、基地局構成の一例をより詳細に示す。基地局１０１はスケジュール６０１を備える。スケジューラ６０１は優先度マネージャ６０３を備える。優先度マネージャ６０３は、ユーザ機器毎の状態情報、例えばデータバッファの状態及び最近のスケジューリング履歴を含むメモリユニット及びユーザ機器毎のＣＱＩ／ＲＸＱに関する情報を含むメモリユニットに接続される。情報は、例えば表の形式で格納されてもよい。これは、上記のステップ２０２ａ及びステップ２０２ｂに関連して説明した受信された情報である。優先度マネージャ６０３は、スケジュールされたユーザ機器１０５のユーザ機器アイデンティティ（ＵＥ  ＩＤ）に関する情報及びユーザ機器１０５に対する受信品質をＴＦＲＣ選択器６０５に送る。ＴＦＲＣ選択器６０５は、ユーザ機器１０５に対する受信品質に対するトランスポートフォーマットを選択する。ＴＦＲＣ選択器６０５は、ＴＦＲＣ  ＬＵＴ６０７からトランスポートフォーマットを選択する。スケジューラ６０１はＲＶ選択器６１０を更に備える。ＴＦＲＣ選択器６０５から選択されたトランスポートフォーマットに基づいて、ＲＶ選択器６０１は、ＲＶ  ＬＵＴ６１３から冗長バージョンパラメータ、第１及び／又は第２の冗長バージョンパラメータを選択する。選択されたトランスポートフォーマット及び選択された冗長バージョンパラメータは、符号器６１５に送られる。符号器６１５は、トランスポートフォーマット、レートマッチング（ＲＭ）及び選択された冗長バージョンパラメータに従ってトランスポートブロックを符号化する。符号器６１５は、スケジュールされたユーザ機器１０５のデータバッファから符号化される情報ビットを取得する。符号器６１５の出力は、トランスポートブロックをユーザ機器１０５に送信する前にＱＡＭ１６又はＱＡＭ６４等の変調技術を使用してトランスポートブロックを変調する変調拡散ＴＸ６１７に提供される。変調拡散ＴＸ６１７は、図５の送信機５０５に対応する。
【０１１１】
図７は、ＴＦＲＣ選択器６０５及びＲＶ選択器６１０がＴＦＲＣ及びＲＶ選択器７０１として示される１つのユニットとして実現される例を示す。これは、図５に示された選択器５０１と同じである。また、図６のＴＦＲＣ  ＬＵＴ６０７及びＲＶ  ＬＵＴ６１３は、図７においてＴＦＲＣ及びＲＶ  ＬＵＴ７０３として示される１つの表であってもよい。選択器７０１は、ＴＦＲＣ及びＲＶ選択を実行するためにＬＵＴ７０３のコンテンツを使用する。
【０１１２】
基地局１０１の別の実施形態は、更なる機能性を提供し、先に識別された機能性及び／又は上述の実施形態を指示するために必要なあらゆる機能性のいずれかを含む役割を担う更なる構成要素を備えてもよい。
【０１１３】
本発明の実施形態は上述の好適な実施形態に限定されない。種々の代替例、変形及び等価物が使用されてもよい。従って、上述の実施形態は、実施形態の範囲を限定するものとして解釈されるべきではない。実施の範囲は特許請求の範囲により規定される
本明細書において使用される場合の「備える／含む（ｃｏｍｐｒｉｓｅ）」という用語は、記載される特徴、数字、ステップ又は構成要素の存在を特定するために利用されるが、１つ以上の他の特徴、数字、ステップ、構成要素又はそれらの集合の存在あるいは追加を除外しないことが強調されるべきである。また、単数形の要素（ａ、ａｎ）は複数形の要素を除外しない。
【０１１４】
添付の特許請求の範囲において規定された方法のステップは、本発明の実施形態から逸脱せずに、特許請求の範囲において示されるのとは別の順序で実行されてもよいことが更に強調されるべきである。
【図１】
2015513816.tif 000009
【図２】
2015513816.tif 000010
【図３】
2015513816.tif 000011
【図４】
2015513816.tif 000012
【図５】
2015513816.tif 000013
【図６】
2015513816.tif 000014
【図７】
2015513816.tif 000015
【国際調査報告】
2015513816.tif 000016
2015513816.tif 000017
2015513816.tif 000018